(57)【要約】【解決手段】ホルダ２に対するスライダ３の移動操作に伴い刃体４がホルダ２に対し出没する。ホルダ２に設けた替刃ケース１３内に替刃収容室１６を設け、収容室１６内の替刃１７の有無を替刃ケース１３の外側から判別することができる貫通孔２０をホルダ２に設けている。スライダ３においてスライダ本体３２に操作体３４を支持する支持手段は、スライダ本体３２の軸部と操作体３４の孔部とを互いに挿嵌した軸支部３９と、軸支部３９に対し操作体３４を傾動させてスライダ本体３２に係止する係止部４２とを備えている。替刃１７の刃先縁の向きを変更した状態で替刃１７を収容室１６内に収容した際に替刃１７の先端縁が当接して収容室１６の内面から刃先縁の尖端部を離間させるストッパ部を設けている。【効果】カッターナイフ１及び替刃ケース１３の使い勝手を良くする。【選択図】図２
2005066207.tif 000002
【特許請求の範囲】
【請求項１】
刃体を取り付けたホルダに替刃ケースを設けたカッターナイフにおいて、このホルダの替刃ケース内には替刃を収容し得る収容室を設け、この収容室内の替刃の有無を替刃ケースの外側から判別することができる視認窓をホルダに設けたことを特徴とするカッターナイフ。
【請求項２】
前記視認窓は収容室内と替刃ケースの外側とを連通する貫通孔であり、収容室内の替刃はこの貫通孔を通して視認可能であることを特徴とする請求項１に記載のカッターナイフ。
【請求項３】
前記視認窓を開閉するシャッターを備えたことを特徴とする請求項１または請求項２に記載のカッターナイフ。
【請求項４】
前記収容室内の替刃は、前記シャッターにより視認窓を遮蔽した状態で、この視認窓及びシャッターを通して視認可能であることを特徴とする請求項３に記載のカッターナイフ。
【請求項５】
前記替刃ケースの収容室は替刃を挿脱し得る挿脱口部を有し、この替刃は摘みに対し着脱可能に取り付けられた状態でこの挿脱口部を通して収容室内に収容され、この摘みは替刃の収容時に収容室の挿脱口部に嵌め込まれた状態で前記視認窓を遮蔽し、収容室内の替刃はこの視認窓及び摘みを通して視認可能であることを特徴とする請求項１または請求項２に記載のカッターナイフ。
【請求項６】
前記替刃ケースの収容室は替刃を挿脱し得る挿脱口部を有し、この替刃はこの挿脱口部を通して収容室内に収容され、この挿脱口部を閉塞し得るキャップをホルダに設け、この挿脱口部を閉塞するキャップの閉塞状態で替刃ケースの外側から前記視認窓に面して視認窓の一部を隠す隠蔽部をこのキャップに設け、この挿脱口部を開放するキャップの開放状態でこの視認窓からキャップの隠蔽部を離して視認窓の全体で収容室内の替刃を視認可能にしたことを特徴とする請求項１から請求項５のうちいずれかの請求項に記載のカッターナイフ。
【請求項７】
前記キャップの隠蔽部は替刃ケースの外面に沿って延設されたクリップアームであることを特徴とする請求項６に記載のカッターナイフ。
【請求項８】
請求項１から請求項７のうちいずれかの請求項に記載のカッターナイフは、刃体を取り付けたスライダをホルダに対し刃体とともに移動可能に支持し、ホルダに対するスライダの移動操作に伴い、刃体が出没するホルダの出没口部に対する刃体の位置を変更し得るものであり、前記替刃ケースの収容室は、スライダが移動操作可能に露出するホルダの表側に対し反対側になるホルダの裏側で、このスライダの移動方向に沿って設けられ、この収容室の挿脱口部はスライダの移動方向の両側のうちホルダの出没口部に対し反対側になるホルダの尻部側に設けられていることを特徴とするカッターナイフ。
【請求項９】
前記視認窓は前記ホルダの裏側に設けられていることを特徴とする請求項８に記載のカッターナイフ。
【請求項１０】
挿脱口部から替刃を挿脱して替刃を収容し得る収容室を設けたケース本体と、この挿脱口部を開閉するキャップとを備えたカッターナイフ用替刃ケースにおいて、
前記替刃にあっては、刃先縁と、その刃先縁の対辺である背縁と、この刃先縁の尖端部とこの背縁の先端部との間で刃先縁の延設方向に対し傾斜する先端縁とを備え、
前記収容室には、替刃の刃先縁の向きを変更した状態で替刃を挿脱口部を通して収容室内に収容した際に替刃の先端縁が当接して収容室の内面から刃先縁の尖端部を離間させるストッパ部を設けた
ことを特徴とするカッターナイフ用替刃ケース。
【請求項１１】
前記ストッパ部は、替刃の刃先縁の向きを変更して替刃を収容室内に収容した状態で替刃の先端縁の傾斜に沿って当接するように、互いに傾斜方向の異なる複数の傾斜面を有していることを特徴とする請求項１０に記載のカッターナイフ用替刃ケース。
【請求項１２】
刃体を取り付けたスライダをホルダに対し刃体とともに移動可能に支持し、ホルダに対するスライダの移動操作に伴い、刃体が出没するホルダの出没口部に対する刃体の位置を変更し得るカッターナイフにおいて、
前記スライダにあっては、刃体を取り付けた状態でホルダに対し移動可能に支持したスライダ本体と、このスライダ本体に取り付けた係止体と、この係止体をスライダ本体との間で支持するようにスライダ本体に支持した操作体とを設け、ホルダに対するスライダの移動操作に伴いこの係止体をホルダに対し係脱可能にし、
前記スライダ本体に対し操作体を支持する支持手段は、スライダ本体と操作体とのうち一方に設けた軸部と他方に設けた孔部とを互いに挿嵌した軸支部と、この軸支部に対し操作体を傾動させてスライダ本体に係止する係止部とを備えている
ことを特徴とするカッターナイフ。
【請求項１３】
前記支持手段の軸支部では孔部が軸部に対し軸線方向へ移動して係脱され、前記支持手段の係止部ではこの軸支部における係脱方向に対し異なる方向で操作体がスライダ本体に対し係脱されることを特徴とする請求項１２に記載のカッターナイフ。
【発明の詳細な説明】
【技術分野】
【０００１】
本発明はカッターナイフ及びカッターナイフ用替刃ケースに関するものである。
【背景技術】
【０００２】
下記特許文献１及び特許文献２では、刃体を取り付けたホルダに替刃ケースを設けたカッターナイフが開示されている。
下記特許文献３及び特許文献４では、挿脱口部から替刃を挿脱して替刃を収容し得る収容室を設けたケース本体を備えたカッターナイフ用替刃ケースが開示されている。
【０００３】
下記特許文献５及び特許文献６では、ホルダに対するスライダの移動操作に伴いホルダの刃体出没口部に対する刃体の位置を変更し得るカッターナイフが開示されている。
【特許文献１】実公昭５６−２１１８３号公報
【特許文献２】実公平３−３９１７９号公報
【特許文献３】実登２５１９１３５号公報
【特許文献４】実登２５３１８６９号公報
【特許文献５】特公昭５７−４０７９６号公報
【特許文献６】特開２００１−２７６４４５号公報
【発明の開示】
【発明が解決しようとする課題】
【０００４】
しかし、上記特許文献１及び特許文献２にかかるカッターナイフでは、替刃ケース内の替刃の有無を替刃ケースの外側から確認することができない。従って、替刃ケースをわざわざ開いて替刃の有無を確認する必要があり、カッターナイフの使い勝手が悪くなっていた。
【０００５】
また、上記特許文献３及び特許文献４にかかるカッターナイフ用替刃ケースでは、替刃を挿脱口部を通して収容室内に収容した際に替刃の先端縁が当接して収容室の内面から刃先縁の尖端部を離間させるストッパ部を設けてはいるが、替刃を収容室内に収容した際に替刃の先端縁がストッパ部に当接し得る替刃の刃先縁の向きは、一つに制限されている。従って、替刃を収容室内に収容する際に替刃の刃先縁の向きに注意する必要があり、替刃ケースの使い勝手が悪くなっていた。
【０００６】
また、上記特許文献５及び特許文献６にかかるカッターナイフのスライダでは、刃体を取り付けた状態でホルダに対し移動可能に支持したスライダ本体と、このスライダ本体に取り付けた係止体と、この係止体をスライダ本体との間で支持するようにスライダ本体に支持した操作体とを設けている。この係止体はホルダに対するスライダの移動操作に伴いホルダに対し係脱可能になっている。前記スライダ本体に対し操作体を支持する支持手段においては複数の係止脚よりスライダ本体に対し同一方向で係脱される係止部を備えているが、その係止部では各係止脚を同一方向へほぼ同時に挿入して組み付ける必要があり、操作体をスライダ本体に対し組み付けにくい。従って、使用時等に不用意に分解されたスライダを組み付ける際にスライダの組付けが行いにくくなり、カッターナイフの使い勝手が悪くなっていた。
【０００７】
この発明は、カッターナイフ及びカッターナイフ用替刃ケースの使い勝手を良くすることを目的としている。
【課題を解決するための手段】
【０００８】
後記実施形態の図面（図１〜６に示す第１実施形態、図７に示す第１実施形態の別例、図８〜９に示す第２実施形態）の符号を援用して本発明を説明する。
＊  請求項１〜２の発明（第１実施形態に対応）
請求項１の発明にかかるカッターナイフ（１）は下記のように構成されている。
【０００９】
刃体（４）を取り付けたホルダ（２）に替刃ケース（１３）を設けている。このホルダ（２）の替刃ケース（１３）内には替刃（１７）を収容し得る収容室（１６）を設け、この収容室（１６）内の替刃（１７）の有無を替刃ケース（１３）の外側から判別することができる視認窓（２０）をホルダ（２）に設けている。
【００１０】
請求項１の発明を前提とする請求項２の発明において、前記視認窓は収容室（１６）内と替刃ケース（１３）の外側とを連通する貫通孔（２０）であり、収容室（１６）内の替刃（１７）はこの貫通孔（２０）を通して視認可能である。
【００１１】
前記視認窓については、請求項２の発明にある貫通孔（２０）以外に、透明または半透明の遮蔽体（図示せず）により閉塞して収容室（１６）内の替刃（１７）をこの遮蔽体を通して視認可能にしてもよい。この遮蔽体を設けると、視認窓（２０）で収容室（１６）が替刃ケース（１３）の外側に対し遮蔽されるため、収容室（１６）に塵や水分などが入りにくくなる。
【００１２】
請求項１〜２の発明では、視認窓（２０）により、収容室（１６）内の替刃（１７）の有無を確認し易くなる。
＊  請求項３〜４の発明（第１実施形態に対応）
請求項１または請求項２の発明を前提とする請求項３の発明において、前記視認窓（２０）を開閉するシャッター（摘み２１）を備えている。請求項４の発明のようにこのシャッター（２１）を透明または半透明にして収容室（１６）内の替刃（１７）を視認窓（２０）及びシャッター（２１）を通して視認可能にしたり、このシャッター（２１）を不透明にして視認不能にしたりしてもよい。請求項３の発明では、このシャッター（２１）を閉じると、視認窓（２０）で収容室（１６）が替刃ケース（１７）の外側に対し遮蔽されるため、収容室（１６）に塵や水分などが入りにくくなる。
【００１３】
請求項３の発明を前提とする請求項４の発明において、前記収容室（１６）内の替刃（１７）は、前記シャッター（２１）により視認窓（２０）を遮蔽した状態で、この視認窓（２０）及びシャッター（２１）を通して視認可能である。請求項４の発明では、シャッター（２１）を閉じても収容室（１６）内の替刃（１７）の有無を替刃ケース（１３）の外側から判別することができる。
【００１４】
＊  請求項５の発明（第１実施形態に対応）
請求項５の発明は請求項１または請求項２の発明を前提として下記のように構成されている。
【００１５】
前記替刃ケース（１３）の収容室（１６）は替刃（１７）を挿脱し得る挿脱口部（１８）を有し，この替刃（１７）は摘み（２１）に対し着脱可能に取り付けられた状態でこの挿脱口部（１８）を通して収容室（１６）内に収容される。この摘み（２１）は替刃（１７）の収容時に収容室（１６）の挿脱口部（１８）に嵌め込まれた状態で前記視認窓（２０）を遮蔽するシャッターとしても機能し、収容室（１６）内の替刃（１７）はこの視認窓（２０）及び摘み（２１）を通して視認可能である。請求項５の発明では、この摘み（２１）により、収容室（１６）に対し替刃（１７）を挿脱し易くなるばかりではなく、視認窓（２０）で収容室（１６）が替刃ケース（１３）の外側に対し遮蔽されるために収容室（６）に塵や水分などが入りにくくなるとともに、収容室（１６）内の替刃（１７）の有無を替刃ケース（１７）の外側から判別することができる。また、摘み（２１）をシャッターとしても兼用するため、摘み（２１）とは別部品のシャッターを採用する場合と比較して部品点数が減り、構造を簡単にすることができる。
【００１６】
＊  請求項６〜７の発明（第１実施形態に対応）
請求項６の発明は請求項１から請求項５のうちいずれかの請求項の発明を前提として下記のように構成されている。
【００１７】
前記替刃ケース（１３）の収容室（１６）は替刃（１７）を挿脱し得る挿脱口部（１８）を有している。この替刃（１７）はこの挿脱口部（１８）を通して収容室（１６）内に収容される。この挿脱口部（１８）を閉塞し得るキャップ（１２）をホルダ（２）に設けている。この挿脱口部（１８）を閉塞するキャップ（１２）の閉塞状態で替刃ケース（１３）の外側から前記視認窓（２０）に面して視認窓（２０）の一部を隠す隠蔽部（３０）をこのキャップ（１２）に設けている。この挿脱口部（１８）を開放するキャップ（１２）の開放状態でこの視認窓（２０）からキャップ（１２）の隠蔽部（３０）を離して視認窓（２０）の全体で収容室（１６）内の替刃（１７）を視認可能にしている。請求項６の発明では、替刃（１７）を必要としないためにキャップ（１２）を閉塞した際には視認可能な範囲で視認窓（２０）を隠蔽部（３０）により隠すが、替刃（１７）を必要とするためにキャップ（１２）を開放した際には視認窓（２０）の全体で収容室（１６）内の替刃（１７）を視認可能にして収容室（１６）内の替刃（１７）の有無を確認し易くなる。なお、キャップ（１２）の閉塞状態で視認窓（２０）の全部を隠す隠蔽部（３０）をキャップ（１２）に設けてもよいが、その場合にはキャップ（１２）の開放状態または開放途中状態でのみ替刃（１７）が視認可能になる。
【００１８】
請求項６の発明を前提とする請求項７の発明において、前記キャップ（１２）の隠蔽部は替刃ケース（１３）の外面に沿って延設されたクリップアーム（３０）である。請求項７の発明では、既存のクリップアーム（３０）を隠蔽部に兼用して構造を簡単にすることができる。この場合、クリップアーム（３０）の先端部（突起３１）を視認窓（貫通孔２０）に接触させたり視認窓（２０）の内側に入り込ませたりして視認窓（２０）に面して配設すると、替刃ケース（１３）の外面とクリップアーム（３０）との間で挟持された被挟持体がクリップアーム（３０）の先端部（３１）により押されて視認窓（２０）の内側に入り込んで屈曲するので、被挟持体をクリップアーム（３０）により確実に保持することができる。
【００１９】
＊  請求項８〜９の発明（第１実施形態に対応）
請求項８の発明は請求項１から請求項７のうちいずれかの請求項の発明を前提として下記のように構成されている。
【００２０】
請求項１から請求項７のうちいずれかの請求項の発明に記載のカッターナイフ（１）は、刃体（４）を取り付けたスライダ（３）をホルダ（２）に対し刃体（４）とともに移動可能に支持し、ホルダ（２）に対するスライダ（３）の移動操作に伴い、刃体（４）が出没するホルダ（２）の出没口部（９）に対する刃体（４）の位置を変更し得るものである。前記替刃ケース（１３）の収容室（１６）は、スライダ（３）が移動操作可能に露出するホルダ（２）の表側に対し反対側になるホルダ（２）の裏側で、このスライダ（３）の移動方向（Ｘ）に沿って設けられている。この収容室（１６）の挿脱口部（１８）はスライダ（３）の移動方向（Ｘ）の両側のうちホルダ（２）の出没口部（９）に対し反対側になるホルダ（２）の尻部（１０）側に設けられている。
【００２１】
請求項８の発明を前提とする請求項９の発明において、前記視認窓（２０）は前記ホルダ（２）の裏側に設けられている。
請求項８〜９の発明では、既存の刃体出没式カッターナイフ（１）において、替刃ケース（１３）及びその視認窓（２０）を簡単に設けることができる。
【００２２】
＊  請求項１０〜１１の発明（第２実施形態及び第１実施形態の別例に対応）
請求項１０の発明にかかるカッターナイフ用替刃ケース（４３，１３）は下記のように構成されている。
【００２３】
この替刃ケース（４３，１３）は、挿脱口部（４６，１８）から替刃（４７，１７）を挿脱して替刃（４７，１７）を収容し得る収容室（４５，１６）を設けたケース本体（４４，１１）と、この挿脱口部（４６，１８）を開閉するキャップ（４８，１２）とを備えている。前記替刃（４７，１７）にあっては、刃先縁（４９，２２）と、その刃先縁（４９，２２）の対辺である背縁（５０，２３）と、この刃先縁（４９，２２）の尖端部（４９ａ，２２ａ）とこの背縁（５０，２３）の先端部（５０ａ，２３ａ）との間で刃先縁（４９，２２）の延設方向に対し傾斜する先端縁（５１，２４）とを備えている。前記収容室（４５，１６）には、替刃（４７，１７）の刃先縁（４９，２２）の向きを変更した状態で替刃（４７，１７）を挿脱口部（４６，１８）を通して収容室（４５，１６）内に収容した際に替刃（４７，１７）の先端縁（５１，２４）が当接して収容室（４５，１６）の内面から刃先縁（４９，２２）の尖端部（４９ａ，２２ａ）を離間させるストッパ部（５４，５５）を設けている。このストッパ部（５４，５５）において替刃（４７，１７）の先端縁（５１，２４）が当接する部分については、請求項１１の発明のような複数の傾斜面（５４ａ，５５ａ）に限らず、そのような傾斜面（５４ａ，５５ａ）を含む単なる複数の当接部でよく、その複数の当接部により、替刃（４７，１７）の刃先縁（４９，２２）の向きを変更した際にも替刃（４７，１７）の先端縁（５１，２４）を支えることができる。
【００２４】
請求項１０の発明を前提とする請求項１１の発明において、前記ストッパ部（５４，５５）は、替刃（４７，１７）の刃先縁（４９，２２）の向きを変更して替刃（４７，１７）を収容室（４５，１６）内に収容した状態で替刃（４７，１７）の先端縁（５１，２４）の傾斜に沿って当接するように、互いに傾斜方向の異なる複数の傾斜面（５４ａ，５５ａ）を有している。例えば、複数のストッパ部（５４，５５）ごとに互いに傾斜方向の異なる傾斜面（５４ａ，５５ａ）を設けたり、一つのストッパ部に互いに傾斜方向の異なる傾斜面を設ける。
【００２５】
請求項１０〜１１の発明では、替刃（４７，１７）が収容室（４５，１６）内に収容された状態で、損傷しにくい先端縁（５１，２４）がストッパ部（５４，５５）に当接して損傷し易い刃先縁（４９，２２）の尖端部（４９ａ，２２ａ）は収容室（４５，１６）の内面から離間するので、その尖端部（４９ａ，２２ａ）を保護することができるばかりではなく、替刃（４７，１７）の刃先縁（４９，２２）の向きに注意を払うことなく替刃（４７，１７）を収容室（４５，１６）内に収容することができる。
【００２６】
＊  請求項１２〜１３の発明（第１実施形態に対応）
請求項１２の発明にかかるカッターナイフ（１）は下記のように構成されている。
このカッターナイフ（１）においては、刃体（４）を取り付けたスライダ（３）をホルダ（２）に対し刃体（４）とともに移動可能に支持し、ホルダ（２）に対するスライダ（３）の移動操作に伴い、刃体（４）が出没するホルダ（２）の出没口部（９）に対する刃体（４）の位置を変更し得る。前記スライダ（３）にあっては、刃体（４）を取り付けた状態でホルダ（２）に対し移動可能に支持したスライダ本体（３２）と、このスライダ本体（３２）に取り付けた係止体（３３）と、この係止体（３３）をスライダ本体（３２）との間で支持するようにスライダ本体（３２）に支持した操作体（３４）とを設け、ホルダ（２）に対するスライダ（３）の移動操作に伴いこの係止体（３３）をホルダ（２）に対し係脱可能にしている。前記スライダ本体（３２）に対し操作体（３４）を支持する支持手段は、スライダ本体（３２）と操作体（３４）とのうち一方に設けた軸部（３７）と他方に設けた孔部（３８）とを互いに挿嵌した軸支部（３９）と、この軸支部（３９）に対し操作体（３４）を傾動させてスライダ本体（３２）に係止する係止部（４２）とを備えている。請求項１２の発明では、操作体（３４）をスライダ本体（３２）に対し組み付け易くなる。
【００２７】
請求項１２の発明を前提とする請求項１３の発明において、前記支持手段の軸支部（３９）では孔部（３８）が軸部（３７）に対し軸線方向（３７ａ）へ移動して係脱され、前記支持手段の係止部（４２）ではこの軸支部（３９）における係脱方向（３７ａ）に対し異なる方向（Ｚ）で操作体（３４）がスライダ本体（３２）に対し係脱される。請求項１３の発明では、操作体（３４）がスライダ本体（３２）に対し分離しにくくなる。
【発明の効果】
【００２８】
本発明は、カッターナイフ（１）及びカッターナイフ用替刃ケース（４３）の使い勝手を良くすることができる。
【発明を実施するための最良の形態】
【００２９】
〔第１実施形態〕
まず、本発明の第１実施形態にかかる替刃ケース付きカッターナイフについて図１〜６を参照して説明する。
【００３０】
図１（ａ）（ｂ）、図２（ａ）（ｂ）及び図３（ａ）（ｂ）に示すように、このカッターナイフ１は、大別して、ホルダ２とスライダ３と刃体４とを備えている。
前記ホルダ２は、金属からなる案内柄部５と、この案内柄部５の外側に取着された把持柄部６とからなる。この案内柄部５の表側にスライド溝７が延設されている。このスライド溝７の延設方向である前後方向Ｘに対し直交する上下方向Ｙの両側でスライド溝７の上下両縁部にそれぞれ係止凹部８が前後方向Ｘへ互いに等間隔で並設されている。このスライド溝７は、前後方向Ｘの両側のうち、前側端部の出没口部９と後側端部の尻部１０とで開放されている。前記把持柄部６は、前記案内柄部５の裏側及び上下両側でその出没口部９付近からその尻部１０付近まで延びる柄部本体１１と、前記案内柄部５の尻部１０側に対し着脱可能に嵌め込まれてこの柄部本体１１に隣接して連結されたクリップキャップ１２とからなる。この把持柄部６においては、柄部本体１１の前側で軟質樹脂からなる指当部１１ａが一体成形され、この柄部本体１１で指当部１１ａ以外の部分とクリップキャップ１２とは硬質樹脂からなる。
【００３１】
前記柄部本体１１の裏側には替刃ケース１３が形成されている。この替刃ケース１３には前記案内柄部５の裏壁部５ａとこの裏壁部５ａに面する柄部本体１１の裏壁部１４と柄部本体１１の上下両側壁部１５とで囲まれる収容室１６が形成されている。この収容室１６は、替刃１７を挿脱し得る挿脱口部１８と、この挿脱口部１８に対し前後方向Ｘで反対側になる底面部１９（内面）とを有している。特に、前記替刃ケース１３において柄部本体１１の裏壁部１４には挿脱口部１８の付近で視認窓としての貫通孔２０が形成されている。この貫通孔２０は替刃ケース１３の外側と収容室１６内とを連通する。
【００３２】
図４（ａ）（ｂ）（ｃ）（ｄ）及び図５（ａ）に示すように、前記替刃１７は、摘み２１に対し着脱可能に取り付けられた状態で、挿脱口部１８を通して収容室１６内に収容される。この替刃１７にあっては、刃先縁２２と、その刃先縁２２の対辺である背縁２３と、この刃先縁２２の尖端部２２ａとこの背縁２３の先端部２３ａとの間で刃先縁２２の延設方向に対し傾斜する先端縁２４と、この先端縁２４と平行な基端縁２５とを備え、この基端縁２５の付近で支持孔２６が形成されている。この摘み２１は、透明または半透明の合成樹脂からなり、把持頭部２７と、支持突起２８ａを有する載置部２８とからなる。この替刃１７の支持孔２６にこの載置部２８の支持突起２８ａが挿入された状態で、一枚以上の替刃１７が載置部２８に載置される。この摘み２１は替刃１７の収容時に収容室１６の挿脱口部１８に嵌め込まれた状態で前記貫通孔２０をシャッターとして遮蔽し、収容室１６内の替刃１７はこの貫通孔２０及び摘み２１を通して視認可能である。また、この摘み２１は、替刃１７を収容室１６内に収容した際に替刃１７の刃先縁２２の尖端部２２ａを収容室１６の底面部１９から離間させるためのストッパとしても機能するが、この摘み２１を省略して替刃１７のみを収容室１６に収容してもよい。
【００３３】
前記クリップキャップ１２は、蓋体２９と、この蓋体２９から延設されたクリップアーム３０（隠蔽部）とからなる。この蓋体２９には段差状の指掛部２９ａが形成されている。このクリップキャップ１２をホルダ２の案内柄部５に取り付けた状態では、蓋体２９が案内柄部５の尻部１０及び替刃ケース１３の挿脱口部１８を閉塞するとともに、クリップアーム３０が替刃ケース１３の外側で柄部本体１１の裏壁部１４の外面に対し隙間３０ａをあけて沿うように案内柄部５の出没口部９へ向けて延びて貫通孔２０の一部を隠す。このクリップアーム３０の先端部に形成された突起３１は貫通孔２０の内側に入り込む。また、このクリップキャップ１２を前記ホルダ２の案内柄部５から取り外した状態で、クリップアーム３０が貫通孔２０から離れ、貫通孔２０の全体で収容室１６内の替刃１７はこの貫通孔２０及び摘み２１を通して視認可能である。なお、使用時にホルダ２の把持柄部６を握る際や、クリップキャップ１２をホルダ２の案内柄部５から取り外す際、蓋体２９の指掛部２９ａに指を当てがうことができる。
【００３４】
前記スライド溝７に対し前記スライダ３が前後方向Ｘへ移動可能に支持されている。このスライダ３にあっては、図５（ａ）（ｂ）（ｃ）に示すように、前記刃体４が着脱可能に取り付けられた状態でホルダ２に対し移動可能に支持されたスライダ本体３２と、このスライダ本体３２に取り付けられた係止体３３と、この係止体３３をスライダ本体３２との間で支持するようにスライダ本体３２に支持された操作体３４とを備えている。この係止体３３は、板ばね３５と、板ばね３５上に支持されたロッド３６とからなる。この操作体３４がスライダ本体３２に支持された状態では、スライダ本体３２に形成された軸部３７と操作体３４に形成された孔部３８とが軸支部３９（支持手段）として互いに挿嵌されているとともに、操作体３４に形成された両係止脚部４０とスライダ本体３２に形成された両引掛部４１とが係止部４２（支持手段）として互いに係止されている。この軸支部３９では孔部３８が軸部３７に対し軸線方向３７ａ（前後方向Ｘに沿う方向）へ移動して係脱され、この係止部４２ではこの軸支部３９における係脱方向（軸線方向３７ａ）に対し異なる方向（前後方向Ｘに対し直交する左右方向Ｚ）で操作体３４がスライダ本体３２に対し係脱される。この操作体３４をスライダ本体３２に組み付ける際には、図６（ａ）（ｂ）（ｃ）に示すように、まず、軸線方向３７ａに対し直交する方向へ可撓性を有する軸部３７を孔部３８に挿嵌して軸支部３９とした後、この軸支部３９に対し操作体３４を傾動させることにより、両係止脚部４０を両引掛部４１に係止して係止部４２とする。
【００３５】
操作体３４を離すと、操作体３４による係止体３３の押圧が解除され、係止体３３のロッド３６が係止体３３の板ばね３５により付勢されてスライド溝７の係止凹部８に係入されるロック状態になる。操作体３４をスライダ本体３２に対し移動させると、操作体３４により係止体３３のロッド３６が係止体３３の板ばね３５の付勢力に抗して押圧されてスライド溝７の係止凹部８から離脱するロック解除状態になる。このロック解除状態でスライダ３をホルダ２に対し移動操作することができる。このようにして操作体３４をスライダ本体３２対し操作して係止体３３のロッド３６をホルダ２のスライド溝７の係止凹部８に対し係脱すると、ホルダ２の出没口部９に対する刃体４の位置を変更することができる。このスライダ３に連結された刃体４は、図１（ａ）に示すようにホルダ２のスライド溝７で出没口部９から突出した状態と、図１（ｂ）に示すようにこのスライド溝７内に出没口部９から没入した状態とを取り得る。
【００３６】
〔第２実施形態〕
次に、本発明の第２実施形態にかかるカッターナイフ用替刃ケースについて図８〜９を参照して説明する。
【００３７】
このカッターナイフ用替刃ケース４３は、挿脱口部４６から替刃４７を挿脱して収容し得る収容室４５を設けたケース本体４４と、この挿脱口部４６を開閉するキャップ４８とを備えている。この替刃４７にあっても、刃先縁４９と、その刃先縁４９の対辺である背縁５０と、この刃先縁４９の尖端部４９ａとこの背縁５０の先端部５０ａとの間で刃先縁４９の延設方向に対し傾斜する先端縁５１と、この先端縁５１と平行な基端縁５２とを備えている。前記収容室４５において挿脱口部４６に面する底面部５３（内面）には一対のストッパ部５４，５５が形成され、この両ストッパ部５４，５５には互いに傾斜方向の異なる複数の傾斜面５４ａ，５５ａが替刃４７の先端縁５１に対する当接部として形成されている。替刃４７の刃先縁４９の向きが互いに反対になるように変更した状態で替刃４７を挿脱口部４６を通して収容室４５内に収容した際に、替刃４７の先端縁５１が両ストッパ部５４，５５のうちいずれかのものに当接し、刃先縁４９の尖端部４９ａが収容室４５の底面部５３から離間する。その際、ストッパ部５４，５５の傾斜面５４ａ，５５ａは替刃４７の先端縁５１に沿う。
【００３８】
〔第１実施形態の別例〕
図７に示す第１実施形態の別例において、カッターナイフ１の替刃ケース１３で収容室１６の底面部１９（内面）には、第２実施形態と同様な機能を果たす一対のストッパ部５４，５５が形成されている。このストッパ部５４，５５は、替刃１７を収容室１６内に収容した際に替刃１７の刃先縁２２の尖端部２２ａを収容室１６の底面部１９から離間させるストッパとして機能するため、同じストッパ機能を有する前記摘み２１を省略してもよい。
【００３９】
〔図示しないそのほかの別例〕
図２（ｂ）及び図５（ａ）において、前記摘み２１で載置部２８の支持突起２８ａを左右方向Ｚで逆向きにし、この載置部２８に複数の替刃１７を載置するとともに、この替刃１７と前記貫通孔２０との間に隙間を生じさせるようにする。この場合には、替刃１７を貫通孔２０から直接視認することができる。替刃１７の枚数が少なくなると、この隙間が広がるため、替刃１７の減少を知ることができる。
【００４０】
また、前記収容室１６の挿脱口部１８に嵌め込まれた摘み２１をクリップキャップ１２の蓋体２９で隠すことなく露出させて替刃ケース１３の外側から操作可能にすれば、替刃１７を容易に取り出すことが可能になる。
【図面の簡単な説明】
【００４１】
【図１】（ａ）は第１実施形態にかかる替刃ケース付きカッターナイフにおいて刃体突出状態を示す平面図であり、（ｂ）は同じく刃体没入状態を示す平面図である。
【図２】（ａ）は図１（ｂ）のカッターナイフの正面図であり、（ｂ）は図１（ｂ）のカッターナイフを正面側から見た断面図である。
【図３】（ａ）は図１（ｂ）のカッターナイフの底面図であり、（ｂ）は図１（ｂ）のカッターナイフを底面側から見た断面図である。
【図４】（ａ）は図３（ａ）のカッターナイフのホルダにおいてクリップキャップを取り外した状態で替刃及び摘みを替刃ケースに収容した状態を示す部分底面図であり、（ｂ）は同じく替刃及び摘みを替刃ケースから取り出した状態を示す部分底面図であり、（ｃ）はこの替刃及び摘みを示す平面図であり、（ｄ）は（ｃ）の正面図である。
【図５】（ａ）は図２（ｂ）の拡大断面図であり、（ｂ）は（ａ）のスライダを示す組付け斜視図であり、（ｃ）は（ａ）のスライダを示す分解斜視図である。
【図６】（ａ）（ｂ）（ｃ）は図５（ｃ）のスライダを組み付ける手順を示す断面図である。
【図７】（ａ）（ｂ）は第１実施形態の別例において図３（ｂ）の部分拡大図である。
【図８】（ａ）は第２実施形態にかかるカッターナイフ用替刃ケースにおいてキャップを開いた状態を示す底面図であり、（ｂ）は（ａ）の替刃ケースにおいてキャップを閉じた状態を正面側から見た断面図である。
【図９】（ａ）（ｂ）は図８（ａ）の替刃ケースを底面側から見た断面図である。
【符号の説明】
【００４２】
１…カッターナイフ、２…ホルダ、３…スライダ、４…刃体、９…刃体出没口部、１０…尻部、１１…柄部本体、１２…クリップキャップ、１３…替刃ケース、１６…替刃収容室、１７…替刃、１８…替刃挿脱口部、２０…視認孔としての貫通孔、２１…摘み（シャッター）、２２…刃先縁、２２ａ…尖端部、２３…背縁、２３ａ…先端部、２４…先端縁、３０…クリップアーム（隠蔽部）、３２…スライダ本体、３３…係止体、３４…操作体、３７…軸部、３７ａ…軸線方向（係脱方向）、３８…孔部、３９…軸支部、４２…係止部、４３…カッターナイフ用替刃ケース、４４…ケース本体、４５…替刃収容室、４６…替刃挿脱口部、４７…替刃、４８…キャップ、４９……刃先縁、４９ａ…尖端部、５０…背縁、５０ａ…先端部、５１…先端縁、５４，５５…ストッパ部、５４ａ，５５ａ…傾斜面、Ｘ…前後方向（スライダ移動方向）、Ｚ…左右方向。
【図１】
2005066207.tif 000003
【図２】
2005066207.tif 000004
【図３】
2005066207.tif 000005
【図４】
2005066207.tif 000006
【図５】
2005066207.tif 000007
【図６】
2005066207.tif 000008
【図７】
2005066207.tif 000009
【図８】
2005066207.tif 000010
【図９】
2005066207.tif 000011